(57)【要約】【課題】紙葉・冊子が収容可能な収容ケースであって、風や雨などが収容ケース内に浸入することを防ぐことができる収容ケースを提供することを課題とする。【解決手段】紙葉や冊子を収容可能な収容ケースにおいて、前記収容ケースは、収容された物を取出すことが可能な開口を前面に有して立方形状に形成された収容本体部と、前記収容本体部の前記開口を覆うように傾斜した傾斜面を備えた屋根部で構成した。【選択図】図１
2006297619.tif 000002
【特許請求の範囲】
【請求項１】
紙葉や冊子を収容可能な収容ケースにおいて、前記収容ケースは、収容された物を取出すことが可能な開口を前面に有して立方形状に形成された収容本体部と、前記収容本体部の前記開口を覆うように傾斜した傾斜面を備えた屋根部で構成されたことを特徴とした収容ケース。
【請求項２】
請求項１において、前記収容ケースは、展開可能に形成され、展開した収容ケースは、前記収容本体部の前面や両側面及び上面と底面を形成する収容部と、収容本体部の背面の一部を形成する背面部と、前記収容本体部の背面の一部を形成する背面や前記屋根部の傾斜面及び両側面を形成する屋根部の各々が接続された１つの形成品としたことを特徴とした収容ケース。
【請求項３】
請求項１又は２において、前記収容ケースは、透明素材で形成されていることを特徴とした収容ケース。
【請求項４】
請求項１乃至３のいずれか１項において、前記収容ケースは、柔軟性のあるビニール素材で形成されたことを特徴とした収容ケース。
【請求項５】
請求項１乃至４のいずれか１項において、前記収容部の前面上端縁に凸部、前記屋根部に前記収容部に形成された凸部と係合する凹部が形成され、前記凸部と凹部が係合したことを特徴とした収容ケース。
【請求項６】
請求項１乃至５のいずれか１項において、前記収容ケースは、背面部が自動販売機の前面に接着され使用することを特徴とした収容ケース。
【発明の詳細な説明】
【技術分野】
【０００１】
本発明は、紙葉や冊子を収容する収容ケースに関するものである。
【背景技術】
【０００２】
従来、特開平８−２４４３９０号公報「枚葉物ホルダ及び枚葉物立て装置」のように、ちらし、パンフレット等の紙葉・冊子を収容する枚葉物ホルダがあった。しかしながら、枚葉物ホルダの上方部が開口した状態となっている為に、屋外などで使用する際に、風などにより紙葉・冊子等が枚葉物ホルダ外へと飛んだり、また雨が降ると、紙葉・冊子等が雨で濡れしまったりする問題があった。また昨今、小冊子として配布される無料で配られる小冊子（フリーペーパー）が注目され、該フリーペーパーを配布する棚などが、街頭で見うけられるようになってきている。
【０００３】
そこで、フリーペーパーなどの印刷物を自動販売機、券売機、コインロッカーなどに正面側に収容ケースを固着させ、フリーペーパーなどの紙葉・冊子を収容ケース内に収容することができ、風や雨などが収容ケース内に浸入すること防ぐことができる収容ケースが求められていた。
【特許文献１】特開平８−２４４３９０号公報
【発明の開示】
【発明が解決しようとする課題】
【０００４】
そこで、本発明は、上記従来技術の問題点に斯かる実情に鑑みなされたもので、紙葉・冊子が収容可能な収容ケースであって、風や雨などが収容ケース内に浸入することを防ぐことができる収容ケースを提供することを課題とする。
【課題を解決するための手段】
【０００５】
請求項１記載の発明は、紙葉や冊子を収容可能な収容ケースにおいて、前記収容ケースは、収容された物を取出すことが可能な開口を前面に有して立方形状に形成された収容本体部と、前記収容本体部の前記開口を覆うように傾斜した傾斜面を備えた屋根部で構成されたことを特徴とする。
【０００６】
請求項２記載の発明は、請求項１において、前記収容ケースは、展開可能に形成され、展開した収容ケースは、前記収容本体部の前面や両側面及び上面と底面を形成する収容部と、収容本体部の背面の一部を形成する背面部と、前記収容本体部の背面の一部を形成する背面や前記屋根部の傾斜面及び両側面を形成する屋根部の各々が接続された１つの形成品としたことを特徴とする。
【０００７】
請求項３記載の発明は、請求項１又は２において、前記収容ケースは、透明素材で形成されていることを特徴とする。
【０００８】
請求項４記載の発明は、請求項１乃至３のいずれか１項において、前記収容ケースは、柔軟性のあるビニール素材で形成されたことを特徴とする。
【０００９】
請求項５記載の発明は、請求項１乃至４のいずれか１項において、前記収容部の前面上端縁に凸部、前記屋根部に前記収容部に形成された凸部と係合する凹部が形成され、前記凸部と凹部が係合したことを特徴とする。
【００１０】
請求項６記載の発明は、請求項１乃至５のいずれか１項において、前記収容ケースは、背面部が自動販売機の前面に接着され使用することを特徴とする。
【発明の効果】
【００１１】
請求項１記載の発明によれば、紙葉や冊子を収容する方形状に形成された収容部と、前記収容部の前面には、収容される紙葉が取出しすることが可能な開口が形成され、前記収容部の上部には、前記収容部の背面から前面に向けて傾斜し前記開口を覆うように形成された屋根部で形成された収容ケースとすることによって、該屋根部によって、収容部の前面に形成された開口へ雨や風などの浸入することを防止することができる。
【００１２】
請求項２記載の発明によれば、前記収容ケースは、展開可能に形成され、展開した収容ケースは、前記収容本体部の前面や両側面及び上面と底面を形成する収容部と、収容本体部の背面の一部を形成する背面部と、前記収容本体部の背面の一部を形成する背面や前記屋根部の傾斜面及び両側面を形成する屋根部の各々が接続された１つの形成品として形成され、各部を折り返し組み立てすることにより形成することにより、容易に収容ケースを組み立てすることができる。
【００１３】
請求項３記載の発明によれば、収容ケースを透明素材で形成することによって、収容ケース内に収容されている紙葉や冊子を収容ケース外へと取り出すことなく確認することができ、収容ケース内の在庫状況を容易に確認することができる。
【００１４】
請求項４記載の発明によれば、収容ケースを柔軟性のあるビニール素材で形成することにより、該収容ケースに外力が加わった場合においても、破損することがない。
【００１５】
請求項５記載の発明によれば、前記収容部の前面に凸部、前記屋根部に凹部を形成することによって、該凸部と凹部が係合することによって収容ケース自体の剛性を増すことができる。
【００１６】
請求項６記載の発明によれば、前記収容ケースは、自動販売機の前面に接着させて使用することによって、自動販売機内に販売される商品に関連した紙葉又は冊子を収容できる。
【発明を実施するための最良の形態】
【００１７】
紙葉や冊子を収容可能な収容ケースにおいて、前記収容ケースは、収容された物を取出すことが可能な開口を前面に有して立方形状に形成された収容本体部と、前記収容本体部の前記開口を覆うように傾斜した傾斜面を備えた屋根部で形成された収容ケースであって、該収容ケースは、透明素材で形成されと共に、柔軟性のあるビニール素材で形成されている。また、前記収容部の前面上端縁に凸部が形成され、前記屋根部に前記収容部に形成された凸部と係合する凹部が形成されている。
【００１８】
また、前記収容ケースは、展開可能に形成され、展開した収容ケースは、前記収容本体部の前面や両側面及び上面と底面を形成する収容部と、収容本体部の背面の一部を形成する背面部と、前記収容本体部の背面の一部を形成する背面や前記屋根部の傾斜面及び両側面を形成する屋根部の各々が接続された１つの形成品とした。
【実施例】
【００１９】
以下、図を参照して、本発明を適用した実施の形態について説明する。図１に示す収納ケースに基づいて、収容ケース１０の外観の説明を行う。収容ケース１０は、収容本体部１２と屋根部１６で形成されている。収容本体部１２は立方形状でその内部を中空に形成されている。また収容本体部１２の前面上方部分には、収容される紙葉２４が取出しすることが可能な方形状の開口１４が形成されている。屋根部１６は、収容本体部１２の上方に位置し、収容本体部１２の背面から前面に向けて傾斜し該開口１４を覆う傾斜面及び両側面が形成され、開口１４の前方及び側方を囲っている。これにより、収容ケース１０が屋外に置かれた場合には、該屋根部１６によって収容本体部１２の前面に形成された開口１４への雨や風などの浸入することを防止する。
【００２０】
また、収容ケース１０を形成する素材は、透明又は半透明で柔軟性のあるビニール素材で形成されており、収容ケース１０内に収容された紙葉２４・冊子などを収容ケース１０外部から視認することが可能であり、紙葉２４・冊子の在庫状況の確認や、収容ケース１０の収容本体部１２に形成された開口１４から手を入れ紙葉２４・冊子を取出しする際にも容易に取出しすることが可能である。また、収容ケース１０は、柔軟性のあるビニール素材で形成されており、方形状に形成された開口１４に使用者の手が入る際に、該方形状に開口１４を容易に歪ませることが可能であり、開口１４内に手を容易に挿入することができる。また、収容ケース１０が、外力によって押圧された場合において、柔軟に変形する為に収容ケース１０自体が破損することがない。また収容ケース１０自体が人体と接触しても柔軟に変形するために怪我などが発生することがない。
【００２１】
また収容本体部１２の前面における上端部に凸部２６が形成され、また屋根部１６に中央部付近に該凸部２６の位置に合わせて凸部２６と係合可能な凹部２８が形成されている。該凸部２６と凹部２８を係合させることによって収容ケース１０自体の剛性を増すことができる。
【００２２】
次に図２に示す収容ケース１０の展開図に基づいて、収容ケース１０の展開図の説明を行う。展開した収容ケース１０は、前記収容本体部１２の前面３０や両側面３４及び上面３２と底面３６を形成する収容部１８と、収容本体部１２の背面の一部を形成する背面部２０と、収容本体部１２の背面の一部を形成する背面３８や屋根部１６の傾斜面４２及び両側面４０を形成する屋根部１６の各々が接続された１つの形成品として形成されている。また収容部１８、背面部２０、屋根部１６の周縁には、剛性を増す為の縁２２が形成されている。
【００２３】
まず収容部１８の説明を行う。前面３０は方形状に形成され、前面３０の４方の辺のうち、対向した２辺が上面３２と底面３６に垂直に接続され、残る２辺が両側面３４と垂直に接続されている。上面３２及び底面３６は、ほぼ同じ形に形成されると共に、両側面３４は、同一の形に形成されている。上面３２と前面３０が接続された辺と隣り合う上面３２の２辺が、両側面３４と接続される。また、上面３２と同様に底面３６と前面３０が接続された辺と隣り合う底面３６の２辺も、両側面３４と接続される。このように接続されることにより、収容部１８は、立方形状に凹陥させた形に形成される。
【００２４】
また収容部１８の前面３０には、上面３２の近傍に、前面３０と上面３２の接続される辺と平行な方形状の開口１４が形成されている。そして収容部１８の前面３０の上端部中央には、屋根部１６に形成された凹部３８と係合する円弧状の凸部２６が形成されている。また、底面３６は、その後端の辺が、背面部２０の一辺と接続される。この底面３６と背面部２０を接続する辺を線Ａとしている。
【００２５】
次に、背面部２０の説明を行う。背面部２０は、方形状の平板で形成されており、背面部２０の長手方向の一辺は、収容部１８の底面３６と接続され、この辺に対向する一辺が、屋根部１６と接続されている。
【００２６】
次に、屋根部１６の説明を行う。収容ケース１０の傾斜面となる方形状に形成された傾斜面４２の３方には、該収容本体部１２の背面の一部となる方形状に形成された背面３８と、収容本体部１２の両側面となる直角三角形状に形成された両側面４０が接続されている。また、背面３８における背面３８が傾斜面４２と接続された辺の両側の２辺は、直角三角形の斜辺となる両側面４０の一辺と接続されており、このように接続されることにより、屋根部１６は、開口部分と背面３８と直角とする三角柱状に凹陥させた形に形成される。
【００２７】
また、屋根部１６の傾斜面４２には、収容本体部１２の前面に形成された凸部２６と係合する円弧状の凹部２８が形成されている。また、背面３８の傾斜面４２と接続された辺と対向する辺は、先に説明した通り背面部２０と接続されている。この背面３８と背面部２０を接続する辺を線Ｂとする。
【００２８】
図３に示す展開された収容ケース１０の組み立てを示す図に基づいて、収容ケース１０の組み立ての説明を行う。図３（Ａ）〜（Ｃ）は、図２の展開した収容ケース１０の中央で切断した断面図である。図３（Ａ）は、折り曲げ等を行っていない収容ケース１０である。この状態から、収容部１８の底面３６と、背面部２０の面を接続された辺である線Ａで１８０度に折り返すと、図３（Ｂ）のように、線Ａを中心に展開された収容ケース１０が折り返された状態になる。図３（Ｂ）の状態から、さらに背面部２０の面と、屋根部１６の背面３８が接続さえた辺である線Ｂの位置で、屋根部１６が収容本体部１２を覆うように９０度で折り返すと、図３（Ｃ）の状態となり、収容本体部１２の前面に形成された凸部２６と、屋根部１６に形成された凹部２８が係合するようになっている。図３（Ｃ）は、図１に示す収容ケース１０の断面と同一である。
【００２９】
図４は、収容ケース１０を自動販売機に収容ケース１０を固着した例である。図４に示すように、自動販売機の前面側などに収容ケース１０を固着させて使用することが可能である。実施の例では、自動販売機を例としたが、この他に券売機、コインロッカーに収容ケース１０を固着させても良い。この収容ケース１０内にフリーペーパーなどの紙葉２４・冊子を収容することによって、自動販売機、券売機、コインロッカーなどを利用する利用者が、透明素材で形成されている収容ケース１０内のフリーペーパーなどの紙葉２４・冊子に気づき、利用者に対して容易に配布することが出来る。
【００３０】
紙葉２４・冊子は、フリーペーパー、チケット、お店の割引クーポン券、小冊子、マガジン、ちらし、パンフレットなどであり、この他に情報が記載された紙を収容ケース１０内に収容されるものである。
【００３１】
また震災などの災害時に、収容ケース１０内に、避難場所の告知や不明者の捜索などを示す紙葉２４・冊子を収容することによって、情報の伝達することができる。
【００３２】
そして、自動販売機の設置台数においては、全国で５５２万台あり、利用者側には、フリーペーパーやチケットとしての紙葉２４・冊子を入手するメリットがあり、自動販売機のオーナーには、フリーペーパーやチケットの印刷物の媒体料金を徴収や商品以外の副収入が入るメリットがある。また、フリーペーパーなどを紙葉２４・冊子を出版する出版社は、自動販売機などに固着させた収容ケース１０内に冊子を収容することにより、出版部数が増えるメリットがある。また、自動販売機のメーカーには、収容ケース１０を予め固着させた自動販売機を製造するなどの新製品の需要を見込むことができる。
【００３３】
以上説明したように構成することにより、紙葉・冊子が収容可能な収容ケースであって、風や雨などが収容ケース内に浸入することを防ぐことができる収容ケースを提供することができる。また、好ましい実施例を挙げて本発明を説明したが、本発明はその実施例に限定されるものではなく、本発明の要旨の範囲内で種々に改変できる。
【図面の簡単な説明】
【００３４】
【図１】本発明の一実施例である収容ケースの外観を示す図である。
【図２】本発明の一実施例である収容ケースの展開図を示す図である。
【図３】本発明の一実施例である収容ケースの組み立てを示す図である。
【図４】本発明の一実施例である収容ケースを自動販売機に固着させた図である。
【符号の説明】
【００３５】
１０    収容ケース
１２    収容本体部
１４    開口
１６    屋根部
１８    収容部
２０    背面部
２２    縁
２４    紙葉
２６    凸部
２８    凹部
３０    前面
３２    上面
３４    両側面
３６    底面
３８    背面
４０    両側面
４２    傾斜面
【図１】
2006297619.tif 000003
【図２】
2006297619.tif 000004
【図３】
2006297619.tif 000005
【図４】
2006297619.tif 000006